(57)【特許請求の範囲】
【請求項１】
干渉アラインメントに基づくプレコーディング方法において、
現在の送信機に対してアンテナマッピングを行うことで干渉アラインメントアルゴリズムの実行ができるようにするためのアンテナマッチング行列を、現在の送信機のセル範囲内における端末の下りチャネル情報を利用して算出するステップと、
現在の送信機から協調セル範囲内における端末までの下りチャネル情報および現在の送信機の上記アンテナマッチング行列を利用して、現在の送信機のマルチセルプレコーディング行列および協調セル範囲内における端末のマルチセルデコーディング行列を算出するステップと、
現在の送信機のセル範囲内における端末の下りチャネル情報、現在の送信機のアンテナマッチング行列とマルチセルプレコーディング行列、および協調通信するセルから受信した現在の送信機のセル範囲内における端末のマルチセルデコーディング行列に基づいて、現在の送信機のセルのシングルセルマルチユーザプレコーディング行列を算出するステップと、
上記シングルセルマルチユーザプレコーディング行列と上記マルチセルプレコーディング行列でユーザデータのプレコーディングをし、プレコーディング後のユーザデータに対し、上記アンテナマッチング行列でアンテナマッチングを行うステップと
を含むことを特徴とする干渉アラインメントに基づくプレコーディング方法。
【請求項２】
協調セルのサービスエリア範囲内における端末のマルチセルデコーディング行列は、現在の送信機から協調セルの送信機に送信されるステップをさらに含むことを特徴とする請求項１に記載の方法。
【請求項３】
アンテナマッチング行列を算出するステップにおいて、
下りチャネル行列Ｈに対して特異値分解をしてＵＳＶＨを取得し、等価システムの送信機側のアンテナ数の列を行列Ｖから選択してアンテナマッチング行列を構成することを含み、ただし、ユニタリー行列Ｕの列ベクトルが左特異ベクトルであり、ユニタリー行列Ｖの列ベクトルが右特異ベクトルであり、対角行列Ｓの対角線要素が特異値であり、上付き記号のＨが行列の共役転置を表すことを特徴とする請求項１に記載の方法。
【請求項４】
アンテナマッチング行列を算出するステップは、Ｎ´ＢＳ×ＮＢＳのアンテナマッチング行列をランダムに生成することにより実現され、ただし、Ｎ´ＢＳが等価システムの送信機側のアンテナの数であり、ＮＢＳが上記現在の送信機のアンテナの数であることを特徴とする請求項１に記載の方法。
【請求項５】
現在の送信機のマルチセルプレコーディング行列を算出するステップにおいて、
現在の送信機から協調セル範囲内における端末までの下りチャネル行列とアンテナマッチング行列で線形方程式を構成して干渉等価行列を算出し、
上記干渉等価行列に基づいてマルチセルプレコーディング行列を算出することを含むことを特徴とする請求項１に記載の方法。
【請求項６】
現在の送信機のシングルセルマルチユーザプレコーディング行列を算出するステップにおいて、
現在の通信セルの下りチャネル行列、アンテナマッチング行列、マルチセルプレコーディング行列およびデコーディング行列でマルチユーザマルチアンテナシステム等価行列を構成し、
上記マルチユーザマルチアンテナシステム等価行列に基づいて、マルチユーザプレコーディング・デコーディングアルゴリズムで線形プレコーディング・デコーディング行列を算出することを含むことを特徴とする請求項１に記載の方法。
【請求項７】
現在の送信機のシングルセルマルチユーザプレコーディング行列を算出するステップにおいて、
現在の通信セルの下りチャネル行列、アンテナマッチング行列、マルチセルプレコーディング行列およびデコーディング行列でマルチユーザマルチアンテナシステム等価行列を構成し、
上記マルチユーザマルチアンテナシステム等価行列と端末から受信したノイズパワー測定値に基づいて、マルチユーザプレコーディング・デコーディングアルゴリズムで線形プレコーディング・デコーディング行列を算出することを含むことを特徴とする請求項１に記載の方法。
【請求項８】
送信機であって、
現在の送信機に対してアンテナマッピングを行うことで干渉アラインメントアルゴリズムの実行ができるようにするためのアンテナマッチング行列を、上記送信機のセル範囲内における端末の下りチャネル情報を利用して算出するアンテナマッチング行列算出手段と、
上記送信機から協調セル範囲内における端末までの下りチャネル情報および上記アンテナマッチング行列に基づいて、上記送信機のマルチセルプレコーディング行列および協調セル範囲内における端末のマルチセルデコーディング行列を算出するマルチセルプレコーディング行列算出手段と、
上記送信機のセル範囲内における端末の下りチャネル情報、上記送信機のアンテナマッチング行列とマルチセルプレコーディング行列、および協調通信するセルから受信した上記送信機のセル範囲内における端末のマルチセルデコーディング行列に基づいて、上記送信機のセルのシングルセルマルチユーザプレコーディング行列を算出するシングルセルマルチユーザプレコーディング行列算出手段と、
上記シングルセルマルチユーザプレコーディング行列と上記マルチセルプレコーディング行列でユーザデータのプレコーディングをし、上記アンテナマッチング行列でアンテナマッチングを行うプレコーディング手段と
を含むことを特徴とする送信機。
【請求項９】
協調セルのサービスエリア範囲内における端末のマルチセルデコーディング行列は、上記送信機から協調セルの送信機に送信されることを特徴とする請求項８に記載の送信機。
【請求項１０】
アンテナマッチング行列算出手段は、下りチャネル行列Ｈに対して特異値分解をしてＵＳＶＨを取得し、等価システムの送信機側のアンテナ数の列を行列Ｖから選択してアンテナマッチング行列を構成し、ただし、ユニタリー行列Ｕの列ベクトルが左特異ベクトルであり、ユニタリー行列Ｖの列ベクトルが右特異ベクトルであり、対角行列Ｓの対角線要素が特異値であり、上付き記号のＨが行列の共役転置を表すことを特徴とする請求項８に記載の送信機。
【請求項１１】
アンテナマッチング行列算出手段は、Ｎ´ＢＳ×ＮＢＳのアンテナマッチング行列をランダムに生成し、ただし、Ｎ´ＢＳが等価システムの送信機側のアンテナの数であり、ＮＢＳが上記送信機のアンテナの数であることを特徴とする請求項８に記載の送信機。
【請求項１２】
マルチセルプレコーディング行列算出手段は、上記送信機から協調セル範囲内における端末までの下りチャネル行列とアンテナマッチング行列で線形方程式を構成して干渉等価行列を算出し、上記干渉等価行列に基づいてマルチセルプレコーディング行列を算出することを特徴とする請求項８に記載の送信機。
【請求項１３】
シングルセルマルチユーザプレコーディング行列算出手段は、現在の通信セルの下りチャネル行列、アンテナマッチング行列、マルチセルプレコーディング行列およびデコーディング行列でマルチユーザマルチアンテナシステム等価行列を構成し、上記マルチユーザマルチアンテナシステム等価行列に基づいて、マルチユーザプレコーディング・デコーディングアルゴリズムで線形プレコーディング・デコーディング行列を算出することを特徴とする請求項８に記載の送信機。
【請求項１４】
シングルセルマルチユーザプレコーディング行列算出手段は、現在の通信セルの下りチャネル行列、アンテナマッチング行列、マルチセルプレコーディング行列およびデコーディング行列でマルチユーザマルチアンテナシステム等価行列を構成し、上記マルチユーザマルチアンテナシステム等価行列と端末から受信したノイズパワー測定値に基づいて、マルチユーザプレコーディング・デコーディングアルゴリズムで線形プレコーディング・デコーディング行列を算出することを特徴とする請求項８に記載の送信機。
【請求項１５】
干渉アラインメントに基づくプレデコーディング方法において、
移動端末は、
サービスセルの送信機からのマルチセルデコーディング行列を受信し、
上記マルチセルデコーディング行列で下りユーザデータのデコーディングをし、
送信機からの下り信号と取得したマルチセルデコーディング行列に従いシングルセルマルチユーザ等価チャネルを推定し、取得したシングルセルマルチユーザ等価チャネルに従いシングルセルマルチユーザデコーディング行列を算出し、
算出したシングルセルマルチユーザデコーディング行列で下りデータの検出を行うことを含むことを特徴とする干渉アラインメントに基づくプレデコーディング方法。
【請求項１６】
干渉アラインメントに基づくプレデコーディングを行う移動端末であって、
サービスセルの送信機からのマルチセルデコーディング行列を受信し、上記マルチセルデコーディング行列で下りユーザデータのデコーディングを行うマルチセルデコーディング手段と、
送信機からの下り信号と取得したマルチセルデコーディング行列に従いシングルセルマルチユーザ等価チャネルを推定し、取得したシングルセルマルチユーザ等価チャネルに従いシングルセルマルチユーザデコーディング行列を算出するチャネル推定手段と、
算出したシングルセルマルチユーザデコーディング行列で下りデータの検出を行うマルチユーザデコーディング手段と
を含むことを特徴とする移動端末。
【発明の詳細な説明】
【技術分野】
【０００１】
本発明は、無線通信システムにおけるマルチセル（multi-cell）協調通信（coordinated  communications）に係り、具体的に干渉アラインメント（Interference  Alignment）に基づくマルチセル協調通信におけるプレコーディング、プレデコーディング方法および送信機ならびに移動端末に関する。
【背景技術】
【０００２】
無線移動セルラーネットワークにおいて、隣接するセルが同一の周波数レンジで稼働すると、セルの端にあるユーザは、隣接セルから強烈な干渉を受けることになる。このような干渉は、通常、同一周波数干渉と言う。セルの間におけるこのような同一周波数干渉は、セルの端にあるユーザの通信品質、例えば伝送レート、伝送信頼性などに大きく影響する。
【０００３】
例えばグローバルシステムフォーモバイルコミュニケーション（GSM（登録商標））セルラーネットワークといった伝統的な技術では、周波数分割多重化の方式が採用され、即ち、隣接するセルは、異なるサブバンドを使用して伝送する。このようなプランは、セル間の干渉を効果的に回避できるが、有用信号伝送に用いる資源の数を減少させ、しかもそれにより周波数スペクトル利用効率を低下させることになる。例えばロングタームエボリューション（LTE）ネットワークといった最新のネットワークの場合は、いずれもネットワーク全体または一部ネットワークにおける各セルを同一周波数レンジで稼働させる傾向にあるが、高級なセル間同一周波数干渉管理方法で干渉を抑制することにより通信品質を向上させる。
【０００４】
最新の研究では、干渉アラインメントの方式が提案されている。このような方法を利用すると、セル間の干渉が効果的に抑制されるだけではなく、より多くの資源が保留されて有用信号の伝送に用いられる。以上両面の利点を総合すると、干渉アラインメント方式は、より効果的な無線伝送を取得できる。干渉アラインメントの基本的な思想は、信号空間を期待の信号サブ空間と干渉信号サブ空間に分け、それから全ての干渉信号を干渉サブ空間に帰属させることにより、より効果的にセル間の干渉を抑制することである。
【０００５】
非特許文献１（C.Suh  et.al.,“Downlink  Interference  Alignment”  GlobeCOM  2010）と非特許文献２（W.Shin  et.al.“On  the  Design  of  Interference  Alignment  Scheme  for  Two-Cell  MIMO  Interfering  Broadcast  Channels”  IEEE  Trans.on  Wireless  Comm.2011）では、二種類の、干渉アラインメントに基づくマルチセルマルチユーザ線形プレコーディングデコーディングアルゴリズムが提案されている。しかし、これらの干渉アラインメントに対する研究は、現在まだ主に理論の論証段階に集中している。実際の実施に用いられるプランはまだ見つかっていない。
【先行技術文献】
【非特許文献】
【０００６】
【非特許文献１】C.Suh  et.al.,“Downlink  Interference  Alignment”  GlobeCOM  2010
【非特許文献２】W.Shin  et.al.“On  the  Design  of  Interference  Alignment  Scheme  for  Two-Cell  MIMO  Interfering  Broadcast  Channels”  IEEE  Trans.on  Wireless  Comm.2011
【発明の概要】
【発明が解決しようとする課題】
【０００７】
本発明の目的は、干渉アラインメントに基づく協調通信におけるプレコーディング、プレデコーディング方法および送信機ならびに移動端末を提案することにある。
【課題を解決するための手段】
【０００８】
本発明の第一の方面では、干渉アラインメントに基づくプレコーディング方法が提案されている。該方法において、現在の送信機に対してアンテナマッピングを行うことで干渉アラインメントアルゴリズムの実行ができるようにするためのアンテナマッチング行列を、現在の送信機のセル範囲内における端末の下りチャネル情報を利用して算出するステップと、現在の送信機から協調セル範囲内における端末までの下りチャネル情報および現在の送信機の上記アンテナマッチング行列を利用して、現在の送信機のマルチセルプレコーディング行列および協調セル範囲内における端末のマルチセルデコーディング行列を算出するステップと、現在の送信機のセル範囲内における端末の下りチャネル情報、現在の送信機のアンテナマッチング行列とマルチセルプレコーディング行列、および協調通信するセルから受信した現在の送信機のセル範囲内における端末のマルチセルデコーディング行列に基づいて、現在の送信機のセルのシングルセルマルチユーザプレコーディング行列を算出するステップと、上記シングルセルマルチユーザプレコーディング行列と上記マルチセルプレコーディング行列でユーザデータのプレコーディングを行い、上記アンテナマッチング行列でアンテナマッチングを行うステップとを含む。
【０００９】
本発明の別の方面では、送信機が提案されている。該送信機は、現在の送信機に対してアンテナマッピングを行うことで干渉アラインメントアルゴリズムの実行ができるようにするためのアンテナマッチング行列を、上記送信機のセル範囲内における端末の下りチャネル情報を利用して算出するアンテナマッチング行列算出手段と、上記送信機から協調セル範囲内における端末までの下りチャネル情報および上記アンテナマッチング行列に基づいて、上記送信機のマルチセルプレコーディング行列および協調セル範囲内における端末のマルチセルデコーディング行列を算出するマルチセルプレコーディング行列算出手段と、上記送信機のセル範囲内における端末の下りチャネル情報、上記送信機のアンテナマッチング行列とマルチセルプレコーディング行列、および協調通信するセルから受信した上記送信機のセル範囲内における端末のマルチセルデコーディング行列に基づいて、上記送信機のセルのシングルセルマルチユーザプレコーディング行列を算出するシングルセルマルチユーザプレコーディング行列算出手段と、上記シングルセルマルチユーザプレコーディング行列と上記マルチセルプレコーディング行列でユーザデータのプレコーディングを行い、上記アンテナマッチング行列でアンテナマッチングを行うプレコーディング手段とを含む。
【００１０】
本発明の別の方面では、干渉アラインメントに基づくプレデコーディング方法が提案されている。該方法において、移動端末は、サービスセルの送信機からのマルチセルデコーディング行列を受信し、上記マルチセルデコーディング行列で下りユーザデータのデコーディングを行い、送信機からの下り信号と取得したマルチセルデコーディング行列に従いシングルセルマルチユーザ等価チャネルを推定し、取得したシングルセルマルチユーザ等価チャネルに従いシングルセルマルチユーザデコーディング行列を算出し、算出したシングルセルマルチユーザデコーディング行列で下りデータの検出を行うことを含む。
【００１１】
本発明の別の方面では、干渉アラインメントに基づくプレデコーディングを行う移動端末が提案されている。該移動端末は、サービスセルの送信機からのマルチセルデコーディング行列を受信し、上記マルチセルデコーディング行列で下りユーザデータのデコーディングを行うマルチセルデコーディング手段と、送信機からの下り信号と取得したマルチセルデコーディング行列に従いシングルセルマルチユーザ等価チャネルを推定し、取得したシングルセルマルチユーザ等価チャネルに従いシングルセルマルチユーザデコーディング行列を算出するチャネル推定手段と、算出したシングルセルマルチユーザデコーディング行列で下りデータの検出を行うマルチユーザデコーディング手段とを含む。
【００１２】
本発明の実施例により、アンテナマッピングを通じて、指定システムを、干渉アラインメント方法応用可能な等価システムに、すなわち、干渉アラインメント直接応用不可のシステムを、干渉アラインメント直接応用可能なシステムに変換できる。
【００１３】
また、セル間干渉抑制とセル内干渉管理を独立的な両工程に分割し、各工程において、異なる線形プレコーディング、デコーディング方法が採用される。この設計に基づき、大量な実施プランを取得できる。各種類のプランは、異なる性能と複雑度を有し、異なる通信環境に適用できる。
【図面の簡単な説明】
【００１４】
【図１】本発明の一実施例による方法の応用シーンを示している。
【図２】プレコーディング、プレデコーディング方法における送信機と移動端末を説明するための概略図面である。
【図３】本発明の一実施例による送信機の構造概略図を示している。
【図４】本発明の一実施例による移動端末の構造概略図を示している。
【図５】本発明の一実施例による干渉アラインメントに基づくプレコーディング方法とプレデコーディング方法のフロー図を示している。
【発明を実施するための形態】
【００１５】
以上の図面を参照した詳細な説明から、本発明の上記特徴と利点はより明らかなものになる。以下、図面を参考して、本発明の好ましい実施形態を詳しく説明する。図面では、異なる図面に示されているものの、同一の図面記号が同一又は類似の構成を示す。明確・簡明のために、ここに含まれる既知の機能と構造の詳細の説明を省き、本発明の主題が不明確にならないようにする。
【００１６】
図１は、本発明の一実施例による方法とシステムの応用シーンを示している。図１に示すように、隣接する二つのセルの送信機（セル１の送信機とセル２の送信機）は同一の周波数バンド内で稼働し、互いは有線を介して接続する（図１に点線で示す接続）ことにより有線での情報交互を行うことができる。このような情報交互は、システム状態情報または制御情報のみに限られ、ユーザデータが含まれておらず、すなわち、ユーザに送信されるデータは、ユーザがいるセルの送信機内のみに存在する。当該分野の技術者に知られているように、送信機に対応するセルは、単一基地局によるサービスエリアであってもよいし、基地局のある送信機に対応するセクタ（sector）であってもよい。
【００１７】
各送信機は、そのセル内の複数のユーザに同時にサービスを提供する。例えばセル１の送信機は、端末（１，１）と端末（１，２）にサービスを提供し、セル２の送信機は、端末（２，１）と端末（２，２）にサービスを提供する。同一の周波数バンドで稼働するため、隣接するセル１とセル２との間に同一周波数干渉が生じることがある。セル１の送信機とセル２の送信機の間は、有線でのシグナリング交互でセル間の同一周波数干渉を抑制する。セルの間に協作（協調）が存在し、しかも各セルが複数のユーザにサービスを提供するため、このシステムは、マルチセルマルチユーザシステムと称する。
【００１８】
本発明の実施例の方法は、マルチアンテナ線形プレコーディングおよび／またはデコーディングに基づくマルチセル協調通信プランに係り、プレコーディング行列とデコーディング行列の取得は、干渉アラインメントの思想に基づいて実現する。
【００１９】
図２は、プレコーディング、プレデコーディング方法における送信機と移動端末を説明するための概略図面である。図２に示すように、送信側において、ユーザ１のデータとユーザ２のデータは、それぞれ加重和をされてから送信アンテナにマッピングされる。送信側の重み付け係数で構成する行列（またはベクトル）はプレコーディング行列（またはベクトル）と称する。受信側において、例えばユーザｋの場合、各アンテナで受信した信号は加重和をされることにより有用信号を取得する。受信側の重み付け係数で構成する行列（またはベクトル）はデコーディング行列（またはベクトル）と称する。
【００２０】
本発明の一実施例では、プレコーディング行列（またはベクトル）とデコーディング行列（またはベクトル）を最適化することによりマルチセル協調通信システムの周波数スペクトル利用効率が高くなり、ユーザが高品質のデータ伝送を行えるようになる。
【００２１】
線形プレコーディングデコーディングを適用したマルチセルマルチユーザ下りＭＩＭＯシステムの入出力関係は、以下の（式１）で表現する。
【数１】
0006018848.tif 000002
【００２２】
ただし、
0006018848.tif 000003
は、送信機iとセルiにおけるユーザkとの間の下りチャネル行列であり、
0006018848.tif 000004
は、送信機jとセルiにおけるユーザkとの間の下りチャネルであり、
0006018848.tif 000005
は、セルiにおけるユーザkに送信するデータ信号であり、
0006018848.tif 000006
は、セルiにおけるユーザlに送信するデータ信号であり、
0006018848.tif 000007
は、セルjにおけるユーザlに送信するデータ信号であり、
0006018848.tif 000008
は、受信側で復元した有用信号であり、
0006018848.tif 000009
はセルiにおけるユーザlに対してプレコーディングを行うプレコーディング行列であり、
0006018848.tif 000010
はセルiにおけるユーザkに対してプレコーディングを行うプレコーディング行列であり、
0006018848.tif 000011
は、セルjにおけるユーザlに対してプレコーディングを行うプレコーディング行列であり、
0006018848.tif 000012
は、セルiにおけるユーザkのデータをデコーディングするためのデコーディング行列であり、
0006018848.tif 000013
はセルiにおけるユーザkが受信したノイズである（非協調セルからの干渉を含む）。
【００２３】
類似的に、線形プレコーディングデコーディングを適用したマルチセルマルチユーザ上りＭＩＭＯシステムの入出力関係は、以下の（式２）で表現する。
【数２】
0006018848.tif 000014
【００２４】
ただし、
0006018848.tif 000015
は送信機iとセルjにおけるユーザlとの間の上りチャネルであり、
0006018848.tif 000016
は送信機iとセルiにおけるユーザkとの間の上りチャネルであり、
0006018848.tif 000017
は送信機iとセルiにおけるユーザlとの間の上りチャネルであり、
0006018848.tif 000018
は、セルiにおけるユーザkから送信されるデータ信号であり、
0006018848.tif 000019
はセルiにおけるユーザlから送信されるデータ信号であり、
0006018848.tif 000020
はセルjにおけるユーザlから送信されるデータ信号であり、
0006018848.tif 000021
は受信側で復元したセルiにおけるユーザkの有用信号であり、
0006018848.tif 000022
は、セルiにおけるユーザlに対してプレコーディングを行うプレコーディング行列であり、
0006018848.tif 000023
はセルiにおけるユーザkに対してプレコーディングを行うプレコーディング行列であり、
0006018848.tif 000024
は、セルjにおけるユーザlに対してプレコーディングを行うプレコーディング行列であり、
0006018848.tif 000025
はセルiにおけるユーザkのデータをデコーディングするためのデコーディング行列であり、
0006018848.tif 000026
は送信機iが受信したノイズ（非協調セルからの干渉を含む）である。
【００２５】
以下、本発明の実施例におけるマルチセルマルチユーザシステム下りプレコーディングとプレデコーディングの計算過程を説明する。
【００２６】
図３は、本発明の一実施例による通信システムにおける送信機の構造概略図を示している。図３に示すように、送信機２０は、チャネル推定手段２１を含む。該チャネル推定手段は、ＴＤＤ（時間分割デュプレックス）システムの場合に、受信した上り探知信号を利用してチャネル推定を行い、送信機２０のセル範囲内における端末の上りチャネル情報および送信機２０から協調セル範囲内における端末までの上りチャネル情報を取得し、ＴＤＤシステムの上り下りチャネル相反性を利用して、対応する送信機２０のセル範囲内における端末の下りチャネル情報および送信機２０から協調セル範囲内における端末までの下りチャネル情報を取得する。一方、ＦＤＤ（周波数分割デュプレックス）システムの場合に、該チャネル推定手段は、端末からフィードバックされる情報を受信することにより、送信機２０のセル範囲内における端末の下りチャネル情報および送信機２０から協調セル範囲内における端末までの下りチャネル情報を取得する。
【００２７】
該送信機２０は、送信機２０のセル範囲内における端末の下りチャネル情報に基づいてアンテナマッチング行列を算出するアンテナマッチング行列算出手段２２をさらに含む。マルチセルプレコーディング行列算出手段２３は、送信機２０から協調セル範囲内における端末までの下りチャネル情報およびアンテナマッチング行列に基づいて、協調セルにおける端末のマルチセルデコーディング行列および送信機２０のマルチセルプレコーディング行列を算出する。
【００２８】
シングルセルプレコーディング行列算出手段２４は、送信機２０のセル範囲内における端末の下りチャネル情報、送信機２０のアンテナマッチング行列とマルチセルプレコーディング行列、および協調通信する送信機から受信した現在の送信機２０のセル範囲内における端末のマルチセルデコーディング行列に基づいて、現在の送信機２０の等価シングルセルマルチユーザチャネル行列を算出し、それに基づいてシングルセルマルチユーザプレコーディング行列を算出する。
【００２９】
本発明の別の実施例によると、シングルセルプレコーディング行列算出手段２４は、該等価シングルセルマルチユーザチャネル行列および該送信機のセル範囲内における端末が受信したノイズパワー測定値に基づいて、シングセルマルチユーザプレコーディング行列を算出する。
【００３０】
シングルセルプレコーディング手段２５は、シングルセルマルチユーザプレコーディング行列でシングルセルプレコーディングを完成し、すなわち、セル内部のマルチユーザのデータが線形的に重畳される。
【００３１】
マルチセルプレコーディング手段２６は、シングルセルプレコーディング処理を経た後のデータに対して、マルチセルプレコーディング行列でマルチセルプレコーディングを行うことによって、セル間干渉の抑制を実現する。
【００３２】
アンテナマッチング手段２７は、アンテナマッチング行列でアンテナマッチングを行い、すなわち、マルチセルプレコーディング後のユーザデータを線形的に重畳して送信アンテナにマッピングする。
【００３３】
以上は、各プレコーディング手段２５、２６、２７は、単一手段の形式で実現しているが、当該分野の技術者が認識すべきこととして、上記各手段は、一つまたは複数の手段に合併してこれらのプレコーディング過程を実現することができる。
【００３４】
図４は、本発明の一実施例による移動端末の構造概略図を示している。本発明の実施例では、図４に示すように、移動端末３０側において、干渉・ノイズ測定手段３１は、下りチャネル情報参考チャネルに対して干渉とノイズ値の測定を行ってノイズレベルマッピング手段３２に入力する。ノイズレベルマッピング手段３２は、測定した干渉とノイズ値を対応するノイズレベルにマッピングして送信機２０にフィードバックする。
【００３５】
一方、移動端末３０において下り信号、例えば下り復調参考信号と下りデータを受信した後、分解手段３３によって下り復調参考信号と下りデータを分解し、それからチャネル推定手段３５は下り信号に基づいてチャネル推定を行って下りチャネル行列を取得する。一方、マルチセルデコーディング手段３４は、自身がいるセルの送信機から、協調セルの送信機から送信してきたマルチセルデコーディング行列を受信し、該マルチセルデコーディング行列で下りユーザデータをデコーディングすることにより、セル間の干渉を除去する。また、チャネル推定手段３５は、取得したマルチセルデコーディング行列および受信した下り信号に従ってシングルセルマルチユーザ等価チャネルを推定し、取得したシングルセルマルチユーザ等価チャネルに従ってシングルセルマルチユーザデコーディング行列を算出する。それから、マルチユーザデコーディング手段３６は、算出したシングルセルマルチユーザデコーディング行列で下りデータのＭＩＭＯ検出を行い、データストリームを出力する。
【００３６】
本発明の実施例の通信システムを利用して、線形アンテナマッピングを通じて所定のシステムを干渉アラインメント方法応用可能な等価システムに、すなわち、干渉アラインメント直接応用不可のシステムを、干渉アラインメント直接応用可能なシステムに変換できる。また、セル間干渉の抑制とセル内干渉の管理を二つの独立した工程に分割し、各工程において異なる線形プレコーディング、デコーディング方法を採用可能である。この設計に従って、大量の実施プランを得ることができる。各プランは、異なる性能と複雑度を有し、異なる通信環境に適用可能である。
【００３７】
以下、具体的な例を通じて、各送信機２０と移動端末３０の手段の具体的な操作過程を詳細に説明する。本発明の一実施例によれば、アンテナマッチング行列算出手段２２はアンテナマッチング行列を算出し、アンテナマッチング手段２７は、該プレコーディング行列で所定のシステムを干渉アラインメントアルゴリズムの応用がマッチングするシステムに変換する。
【００３８】
所定システムの送信機側のアンテナの数が
0006018848.tif 000027
、ユーザ側のアンテナの数が
0006018848.tif 000028
と仮定する。干渉アラインメントアルゴリズムの応用がマッチングするシステムアンテナ配置が必要となり、所定システム送信機側のアンテナ数が等価システムの送信機側のアンテナ数以上、かつ、所定システムのユーザ側のアンテナ数が等価システムのユーザ側のアンテナ数に等しく、すなわち、
0006018848.tif 000029
と
0006018848.tif 000030
（
0006018848.tif 000031
は、等価システムの送信機側のアンテナ数であり、
0006018848.tif 000032
は等価システムのユーザ側のアンテナ数である。）の条件を満足しなければならない。図１に示すシステムを例とし、
0006018848.tif 000033
、
0006018848.tif 000034
となり、干渉アラインメントアルゴリズムの応用がマッチングするシステムアンテナ配置は、
0006018848.tif 000035
、
0006018848.tif 000036
である。
【００３９】
線形マッピングを通じてシステム変換を行い、すなわち、
0006018848.tif 000037
のアンテナマッチング行列を見つけ出し、すると、アンテナマッピングの際に、取得した
0006018848.tif 000038
パスのデータストリームを、このアンテナマッチング行列で線形プレコーディングを行う。図１に示すシステムを例とし、アンテナマッチング行列は、３×４の行列である。以下、
0006018848.tif 000039
でセル１の送信機のアンテナマッチング行列を示す。
【００４０】
本発明の一実施例に基づき、
0006018848.tif 000040
の行列をランダムに生成することによりアンテナマッチング行列
0006018848.tif 000041
とすることができる。該行列は、アンテナマッチングのみに使用され、いずれか一つの
0006018848.tif 000042
の行列は、アンテナマッチングを実現できる。アンテナマッチング行列をランダムに生成する方法は、複雑度が低く、使用が便利である。
【００４１】
選択可能なこととして、別の実施例に基づき、送信機iと自身セルにおけるユーザk（k=1,2,…，K）との間の下りチャネル行列からなる等価チャネル行列Ｈ（式３）の特異値分解をしてもよい。
【数３】
0006018848.tif 000043
【００４２】
すなわち、
0006018848.tif 000044
（上付き記号の「H」は、行列の共役転置を表す）。
0006018848.tif 000045
は、送信機iとセルiにおけるユーザ１との間の下りチャネルであり、
0006018848.tif 000046
は、送信機iとセルiにおけるユーザKとの間の下りチャネルであり、ユニタリー行列
0006018848.tif 000047
の列ベクトルが左特異ベクトルであり、ユニタリー行列
0006018848.tif 000048
の列ベクトルが右特異ベクトルであり、対角行列
0006018848.tif 000049
の対角線要素が特異値である。行列
0006018848.tif 000050
から
0006018848.tif 000051
列を選択し、この列は、
0006018848.tif 000052
個の最大の特異値に対応するべきである。該実施例のアンテナマッチング行列
0006018848.tif 000053
は、この
0006018848.tif 000054
列のベクトルからなる。類似的に、セル２の送信機のアンテナマッチング行列
0006018848.tif 000055
を取得することもできる。
【００４３】
本発明の一実施例によれば、マルチセルプレコーディングは、マルチセルデコーディングと共同で設計すべきであり、その設計準則が干渉アラインメントである。マルチセルプレコーディング行列算出手段２３の操作過程の一例は下記のとおりである（図１におけるセル１の送信機を例とする）。
【００４４】
セル１からセル２の端末までの下りチャネル行列とセル１のアンテナマッチング行列
0006018848.tif 000056
で線型方程式を構成することでセル２の二つのユーザのデコーディング行列と干渉等価チャネルを取得する。それから、干渉等価チャネルとマルチセルプレコーディング行列との間の直交性を利用して、マルチセルプレコーディング行列を算出する。たとえば、チャネル行列とアンテナマッチング行列
0006018848.tif 000057
で以下の線型方程式（式４）を構成する。
【数４】
0006018848.tif 000058
【００４５】
ただし、
0006018848.tif 000059
は、セル１の送信機からセル２の範囲内における端末１（すなわち端末（２，１））までの下りチャネルであり、
0006018848.tif 000060
は、セル１の送信機からセル２の範囲内における端末２（すなわち端末（２，２））までの下りチャネルであり、
0006018848.tif 000061
は、セル１の送信機のアンテナマッチング行列であり、
0006018848.tif 000062
は、セル１の送信機の干渉等価チャネルであり、
0006018848.tif 000063
は端末（２，１）のマルチセルデコーディング行列であり、
0006018848.tif 000064
は、端末（２，２）のマルチセルデコーディング行列であり、
0006018848.tif 000065
は３行３列の単位対角行列であり、
0006018848.tif 000066
は３行２列のゼロ行列であり、
0006018848.tif 000067
は、６行１列のゼロ列ベクトルである。
【００４６】
この方程式（４）を解くと、デコーディング行列
0006018848.tif 000068
と
0006018848.tif 000069
を得る。該二つのデコーディング行列は、セル２の二つのユーザ（すなわち端末（２，１）と端末（２，２））のデコーディング行列である。
【００４７】
上記方程式（４）を解いて干渉等価チャネル
0006018848.tif 000070
を得て、以下の方程式（式５）を構成する。
【数５】
0006018848.tif 000071
【００４８】
ただし、
0006018848.tif 000072
は、セル１の送信機のマルチセルプレコーディング行列である。
【００４９】
この方程式（５）を解いてマルチセルプレコーディング行列
0006018848.tif 000073
を得る。
【００５０】
上記方程式（４）は、下記の方程式（式６）に等価する。
【数６】
0006018848.tif 000074
【００５１】
ただし、
0006018848.tif 000075
は、
0006018848.tif 000076
の共役転置を示し、その他の各変数の定義は、方程式（４）についての説明を参考する。
【００５２】
該方程式（６）によって、セル１の送信機からセル２の二つのユーザへの干渉信号を同一方向、すなわちベクトル
0006018848.tif 000077
が指し示す方向に揃える。セル１の送信機からそのセル範囲内におけるユーザへデータを送信する方向がこの方向と直交するのであれば、セル１の送信機からセル２に対する干渉信号発生がまったくない。方程式（５）は、このような直交化を実現するために定義されるものである。方程式（４）と方程式（５）を組み合わせることで、セル間干渉の除去を実現する。同時に、干渉信号が基本的に同一方向に揃えられるため、有用信号になるべく多くの送信可能な方向を保留した。
【００５３】
セル２の送信機側において上記同一の操作を行うことで
0006018848.tif 000078
、
0006018848.tif 000079
、
0006018848.tif 000080
を、すなわち、セル２のマルチセルプレコーディング行列と端末（１，１）と（１，２）のマルチデコーディング行列を得ることができる。
【００５４】
例えば、セル２の送信機からセル１の端末までの下りチャネル行列とセル２の送信機のアンテナマッチング行列
0006018848.tif 000081
で線型方程式を構成することでセル１の二つのユーザのデコーディング行列と干渉等価チャネルを取得する。それから、干渉等価チャネルとマルチセルプレコーディング行列との間の直交性を利用して、マルチセルプレコーディング行列を算出する。たとえば、チャネル行列とアンテナマッチング行列
0006018848.tif 000082
で以下の線型方程式（式４´）を構成する。
【数７】
0006018848.tif 000083
【００５５】
ただし、
0006018848.tif 000084
は、セル２の送信機からセル１の範囲内における端末１（すなわち端末（１，１））までの下りチャネルであり、
0006018848.tif 000085
は、セル２の送信機からセル１の範囲内における端末２（すなわち端末（１，２））までの下りチャネルであり、
0006018848.tif 000086
は、セル２の送信機のアンテナマッチング行列であり、
0006018848.tif 000087
は、セル２の送信機の干渉等価チャネルであり、
0006018848.tif 000088
は端末（１，１）のマルチセルデコーディング行列であり、
0006018848.tif 000089
は、端末（１，２）のマルチセルデコーディング行列であり、
0006018848.tif 000090
は３行３列の単位対角行列であり、
0006018848.tif 000091
は３行２列のゼロ行列であり、
0006018848.tif 000092
は、６行１列のゼロ列ベクトルである。
【００５６】
この方程式（４´）を解くと、デコーディング行列
0006018848.tif 000093
と
0006018848.tif 000094
を得る。該二つのデコーディング行列は、セル１の二つのユーザ（すなわち端末（１，１）と端末（１，２））のデコーディング行列である。
【００５７】
上記方程式（４´）を解いて干渉等価チャネル
0006018848.tif 000095
を得て、以下の方程式（式５´）を構成する。
【数８】
0006018848.tif 000096
【００５８】
ただし、
0006018848.tif 000097
は、セル２の送信機のマルチセルプレコーディング行列である。
【００５９】
この方程式（５´）を解いてマルチセルプレコーディング行列
0006018848.tif 000098
を得る。
【００６０】
上記方程式（４´）は、下記の方程式（式６´）に等価する。
【数９】
0006018848.tif 000099
【００６１】
ただし、
0006018848.tif 000100
は、
0006018848.tif 000101
の共役転置を示し、その他の各変数の定義は、方程式（４´）についての説明を参考する。
【００６２】
該方程式（６´）によって、セル２の送信機からセル１の二つのユーザへの干渉信号を同一方向、すなわちベクトル
0006018848.tif 000102
が指し示す方向に揃える。セル２の送信機からそのセル範囲内におけるユーザへデータを送信する方向がこの方向と直交するのであれば、セル２の送信機からセル１に対する干渉信号発生がまったくない。方程式（５´）は、このような直交化を実現するために定義されるものである。方程式（４´）と方程式（５´）を組み合わせることで、セル間干渉の除去を実現する。同時に、干渉信号が基本的に同一方向に揃えられるため、有用信号になるべく多くの送信可能な方向を保留した。
【００６３】
本発明の実施例によれば、シングルセルマルチユーザプレコーディング行列算出手段２４の操作過程の例（セル１の送信機を例とする）は、下記のとおりである。
【００６４】
セル１の送信機から端末（１，１）と（１，２）までの下りチャネル行列、以上取得したセル１の送信機のアンテナマッチング行列
0006018848.tif 000103
、マルチセルプレコーディング行列
0006018848.tif 000104
およびセル１のユーザ端末（１，１）と（１，２）のデコーディング行列
0006018848.tif 000105
と
0006018848.tif 000106
により、以下のマルチユーザマルチアンテナシステム等価行列（式７）を構成する。
【数１０】
0006018848.tif 000107
【００６５】
ただし、
0006018848.tif 000108
は、セル１の等価シングルセルマルチユーザチャネル行列であり、
0006018848.tif 000109
は、セル１における端末（１，１）に対応する等価チャネル行列であり、
0006018848.tif 000110
は、セル１における端末（１，２）に対応する等価チャネル行列であり、
0006018848.tif 000111
は、等価ノイズベクトルであり、
0006018848.tif 000112
は、端末（１，１）の等価ノイズであり、
0006018848.tif 000113
は、端末（１，２）の等価ノイズであり、
0006018848.tif 000114
は、セル１の送信機からその端末（１，１）までの下りチャネル行列を示し、
0006018848.tif 000115
は、セル１の送信機からその端末（１，２）までの下りチャネル行列を示し、
0006018848.tif 000116
（k=１または２）は、セル１における端末kが受信したノイズである。
【００６６】
式（７）から算出した行列により、セル１の送信機について、以下のマルチユーザシステムの入出力関係を得ることができる(式８)。
【数１１】
0006018848.tif 000117
【００６７】
ただし、
0006018848.tif 000118
は、セル１における端末kのマルチユーザプレコーディング行列であり、
0006018848.tif 000119
はセル１における端末kのマルチユーザＭＩＭＯデコーディング行列であり、
0006018848.tif 000120
は、セル１に端末kに対するユーザチャネル行列であり、
0006018848.tif 000121
は、セル１における端末lのマルチユーザプレコーディング行列であり、
0006018848.tif 000122
は、セル１の送信機からセル１におけるユーザlへ送信されるデータ信号であり、
0006018848.tif 000123
は、セル１の送信機からセル１におけるユーザkへ送信されるデータ信号であり、
0006018848.tif 000124
は、セル１における端末kの等価ノイズである。
【００６８】
異なる設計準則に基づき、
0006018848.tif 000125
と
0006018848.tif 000126
を算出してマルチユーザＭＩＭＯ線形符号化デコーディングに用いることができる。
【００６９】
線形プレコーディングおよびデコーディング行列を算出する具体的な実施プランは、ゼロフォーシング（ＺＦ）アルゴリズム、最小平均二乗誤差（ＭＭＳＥ）アルゴリズム、マッチドフィルタリング（ＭＦ）アルゴリズム、ＢＤ（Block  Diagonalization）アルゴリズム、最大化信号対漏洩雑音比（ＳＬＮＲ）アルゴリズムなどの非反復アルゴリズム、および最大レート和反復アルゴリズム、最小平均二乗誤差（ＭＭＳＥ）反復アルゴリズムなどの反復アルゴリズムを含むが、それらに限られることはない。そのうち、最小平均二乗誤差（ＭＭＳＥ）アルゴリズム、最大化信号対漏洩雑音比（ＳＬＮＲ）アルゴリズム、最大レート和反復アルゴリズムおよび最小平均二乗誤差（ＭＭＳＥ）反復アルゴリズムでは、端末からフィードバックされる等価干渉とノイズ測定値を必要とする。一方、ゼロフォーシング（ＺＦ）アルゴリズム、マッチドフィルタリング（ＭＦ）アルゴリズム、ＢＤ（Block  Diagonalization）アルゴリズムでは、端末からフィードバックされる等価干渉とノイズ測定値を介する必要がない。
【００７０】
セル２の送信機を例とし、セル２の送信機から端末（２，１）と（２，２）までの下りチャネル行列、以上取得したセル２の送信機のアンテナマッチング行列
0006018848.tif 000127
、マルチセルプレコーディング行列
0006018848.tif 000128
およびセル２のユーザ端末（２，１）と（２，２）のデコーディング行列
0006018848.tif 000129
と
0006018848.tif 000130
により、以下のマルチユーザマルチアンテナシステム等価行列（式７´）を構成する。
【数１２】
0006018848.tif 000131
【００７１】
ただし、
0006018848.tif 000132
は、セル２の等価シングルセルマルチユーザチャネル行列であり、
0006018848.tif 000133
は、セル２における端末（２，１）に対応する等価チャネル行列であり、
0006018848.tif 000134
は、セル２における端末（２，２）に対応する等価チャネル行列であり、
0006018848.tif 000135
は、等価ノイズベクトルであり、
0006018848.tif 000136
は、端末（２，１）の等価ノイズであり、
0006018848.tif 000137
は、端末（２，２）の等価ノイズであり、
0006018848.tif 000138
は、セル２の送信機からその端末（２，１）までの下りチャネル行列を示し、
0006018848.tif 000139
は、セル２の送信機からその端末（２，２）までの下りチャネル行列を示し、
0006018848.tif 000140
（k=１または２）は、セル２における端末kが受信したノイズである。
【００７２】
式（７´）から算出した行列により、以下のマルチユーザシステムの入出力関係を得ることができる（式８´）。
【数１３】
0006018848.tif 000141
【００７３】
ただし、
0006018848.tif 000142
は、セル２における端末kのマルチユーザプレコーディング行列であり、
0006018848.tif 000143
はセル２における端末kのマルチユーザＭＩＭＯデコーディング行列であり、
0006018848.tif 000144
は、セル２に端末kに対するユーザチャネル行列であり、
0006018848.tif 000145
は、セル２における端末lのマルチユーザプレコーディング行列であり、
0006018848.tif 000146
は、セル２の送信機からセル２におけるユーザlへ送信されるデータ信号であり、
0006018848.tif 000147
は、セル２の送信機からセル２におけるユーザkへ送信されるデータ信号であり、
0006018848.tif 000148
は、セル２における端末kの等価ノイズである。
【００７４】
異なる設計準則に基づき、
0006018848.tif 000149
と
0006018848.tif 000150
を算出してマルチユーザＭＩＭＯ線形符号化デコーディングに用いることができる。
【００７５】
線形プレコーディングおよびデコーディング行列を算出する具体的な実施プランは、ゼロフォーシング（ＺＦ）アルゴリズム、最小平均二乗誤差（ＭＭＳＥ）アルゴリズム、マッチドフィルタリング（ＭＦ）アルゴリズム、ＢＤ（Block  Diagonalization）アルゴリズム、最大化信号対漏洩雑音比（ＳＬＮＲ）アルゴリズムなどの非反復アルゴリズム、および最大レート和反復アルゴリズム、最小平均二乗誤差（ＭＭＳＥ）反復アルゴリズムなどの反復アルゴリズムを含むが、それらに限られることはない。そのうち、最小平均二乗誤差（ＭＭＳＥ）アルゴリズム、最大化信号対漏洩雑音比（ＳＬＮＲ）アルゴリズム、最大レート和反復アルゴリズムおよび最小平均二乗誤差（ＭＭＳＥ）反復アルゴリズムでは、端末からフィードバックされる等価干渉とノイズ測定値を必要とする。一方、ゼロフォーシング（ＺＦ）アルゴリズム、マッチドフィルタリング（ＭＦ）アルゴリズム、ＢＤ（Block  Diagonalization）アルゴリズムでは、端末からフィードバックされる等価干渉とノイズ測定値を介する必要がない。
【００７６】
図５は、本発明の一実施例による干渉アラインメントに基づく協調通信方法のフロー図を示している。
【００７７】
説明しやすくするために、ここでは、図５におけるkを１、２と仮定する。このような場合、セル１とセル２とは、協調セルとなる。セル１の送信機（ＴＸ１）は、端末（１，１）と（１，２）、すなわち、ＲＸ１，１とＲＸ１，２へのデータ送信を司る。セル２の送信機（ＴＸ２）は、端末（２，１）と（２，２）、すなわち、ＲＸ２，１とＲＸ２，２へのデータ送信を司る。図５の説明は、ＴＤＤの場合に関するものである。しかし、当該分野の技術者にとって、本発明はＦＤＤシステムにも応用可能であることがわかる。本発明の実施例による通信方法は、以下のステップを含む。
【００７８】
ステップＳ５１において、端末（１，１）は、上り探知信号ＳＲＳをセル１の送信機とセル２の送信機に送信する。セル１の送信機とセル２の送信機は、それぞれ上り探知信号ＳＲＳを受信して、各々のチャネル推定手段２１によりそれぞれチャネル推定を行うことで端末（１，１）の上りチャネルを取得する。セル１の送信機とセル２の送信機は、ぞれぞれＴＤＤシステム上り下りチャネル交互特性を利用して端末（１，１）の下りチャネルを取得する。端末（１，２）、（２，１）、（２，２）は、類似した操作を行い、セル１の送信機とセル２の送信機は、これらの端末の下りチャネル行列を取得する。
【００７９】
選択可能なこととして、端末（１，１）は、受信した非協調セル干渉とノイズ信号強度を測定可能である。それから、端末（１，１）は、フィードバック信号を送信して、非協調セル干渉とノイズ信号強度をセル１の送信機とセル２の送信機に送信する。続いて、セル１の送信機とセル２の送信機は、それぞれ端末（１，１）のフィードバック情報を受信し、端末（１，１）の非協調セル干渉とノイズ信号強度情報を取得する。端末（１，２）、（２，１）、（２，２）は、類似した操作を行い、セル１の送信機とセル２の送信機は、これらの端末の非協調セル干渉とノイズ信号強度情報を取得する。上記過程で取得した干渉とノイズ信号強度情報は、マルチユーザプレコーディング行列とマルチユーザプレデコーディング行列の計算に用いられる。
【００８０】
ステップＳ５２において、セル１の送信機のアンテナマッチング行列算出手段２２は、セル１の送信機から端末（１，１）、（１，２）までの下りチャネル情報を利用してアンテナマッチング行列を算出する。上記式（４）と（５）に従い、セル１の送信機のマルチセルプレコーディング行列算出手段２３は、セル１の送信機から協調セルにおける端末（２，１）、（２，２）までの下りチャネル情報およびセル１の送信機のアンテナマッチング行列を利用して、端末（２，１）、（２，２）のマルチセルデコーディング行列およびセル１の送信機のマルチセルプレコーディング行列を算出する。たとえば、セル１の送信機から協調セルにおける端末までのチャネル行列とセル１の送信機のアンテナマッチング行列で線型方程式を構成してセル２の二つのユーザのデコーディング行列と干渉等価チャネルを取得する。それから、干渉等価チャネルとマルチセルプレコーディング行列との間の直交性を利用して、セル１の送信機のマルチセルプレコーディング行列を算出する。
【００８１】
図５に示すように、セル１の送信機は、有線接続を介して、端末（２，１）、（２，２）のマルチセルデコーディング行列をセル２に通知する。ステップＳ５３で算出したデコーディング行列
0006018848.tif 000151
と
0006018848.tif 000152
は、セル１の送信機とセル２の送信機との間のリターン通路を介してセル２の送信機に送信され、それから、セル２の送信機は、下り（ＤＬ）シグナリングを介して該デコーディング行列を関連する端末（２，１）、（２，２）に配信する。
【００８２】
類似的に、セル２の送信機のアンテナマッチング行列算出手段２２は、セル２の送信機から端末（２，１）、（２，２）までの下りチャネル情報を利用してアンテナマッチング行列を算出する。セル２の送信機のマルチセルプレコーディング行列算出手段２３は、セル２の送信機から協調セル１における端末（１，１）、（１，２）までの下りチャネル情報およびセル２の送信機のアンテナマッチング行列を利用して、端末（１，１）、（１，２）のマルチセルデコーディング行列およびセル２の送信機のマルチセルプレコーディング行列を算出する。たとえば、セル２の送信機から協調セルにおける端末までのチャネル行列とセル２の送信機のアンテナマッチング行列で線型方程式を構成してセル１の二つのユーザのデコーディング行列と干渉等価チャネルを取得する。それから、干渉等価チャネルとマルチセルプレコーディング行列との間の直交性を利用して、セル２の送信機のマルチセルプレコーディング行列を算出する。セル２のシングルセルマルチユーザプレコーディング行列算出手段２４は、セル２の送信機から端末（２，１）、（２，２）までの下りチャネル行列、セル２の送信機のアンテナマッチング行列、セル２のマルチセルプレコーディング行列および端末（２，１）、（２，２）のマルチセルデコーディング行列に基づいて、セル２の等価シングルセルマルチユーザチャネル行列を算出して、これに基づいてセル２のシングルセルマルチユーザプレコーディング行列を算出する。本発明の別の実施例によれば、該等価シングルセルマルチユーザチャネル行列および端末（２，１）、（２，２）が受信したノイズに基づいて、セル１のシングルセルマルチユーザプレコーディング行列を算出することができる。
【００８３】
セル２の送信機は、端末（２，１）、（２，２）それぞれのマルチセルデコーディング行列を下りリンクを介して通知する。セル２の送信機は、ユーザ端末（２，１）、（２，２）のデータおよび／または復調参考信号に対して、順にシングルセルマルチユーザプレコーディング、マルセルプレコーディング、アンテナマッチングを行い、最後に、下りリンクを介してユーザ端末に送信する。
【００８４】
ステップＳ５４において、セル１の送信機のシングルセルマルチユーザプレコーディング行列算出手段２４は、セル１の送信機から端末（１，１）、（１，２）までの下りチャネル行列、セル１の送信機のアンテナマッチング行列、セル１のマルチセルプレコーディング行列および端末（１，１）、（１，２）のマルチセルデコーディング行列に基づいて、等価シングルセルマルチユーザチャネル行列を算出して、これに基づいてセル１のシングルセルマルチユーザプレコーディング行列を算出する。本発明の別の実施例によれば、該等価シングルセルマルチユーザチャネル行列および端末（１，１）、（１，２）が受信したノイズに基づいて、セル１のシングルセルマルチユーザプレコーディング行列を算出することができる。
【００８５】
ステップＳ５５において、セル１のシングルセルマルチユーザプレコーディング手段２５、マルチセルプレコーディング手段２６およびアンテナマッチング手段２７は、端末（１，１）、（１，２）のデータおよび／または復調参考信号に対して、順にシングルセルマルチユーザプレコーディング、マルセルプレコーディング、アンテナマッチングを行い、最後に、下りリンクを介してユーザ端末に送信する。
【００８６】
セル２の送信機は、端末（１，１）、（１，２）のマルチセルデコーディング行列を有線接続を介してセル１の送信機に通知する。セル１の送信機は、端末（１，１）、（１，２）それぞれのマルチセルデコーディング行列を下りリンクを介して通知する。
【００８７】
各端末は、取得したマルチセルデコーディング行列に従い有用信号を復元する。各端末のマルチセルデコーディング手段は、受信したマルチセルデコーディング行列を利用して下りユーザ信号をデコーディングして、セル間の干渉を除去する。各端末のチャネル推定手段は、取得したマルチセルデコーディング行列および受信した下り信号に従いシングルセルマルチユーザ等価チャネルを推定し、しかも、取得したシングルセルマルチユーザ等価チャネルに従いシングルセルマルチユーザデコーディング行列を算出する。それから、各端末のマルチユーザデコーディング手段は、取得したシングルセルマルチユーザデコーディング行列に従い有用信号を復元して下りデータを検出する。
【００８８】
以上の説明は、本発明を実現する実施形態のみに用いられる。当該分野の技術者が理解すべきこととして、本発明の範囲を逸脱しないいかなる修正または一部の差し替えは、いずれも本発明の請求項によって限定される範囲に属する。従って、本発明の保護範囲は、特許請求の範囲による保護範囲を基準とするべきである。
【図１】
0006018848.tif 000153
【図２】
0006018848.tif 000154
【図３】
0006018848.tif 000155
【図４】
0006018848.tif 000156
【図５】
0006018848.tif 000157